(57)【特許請求の範囲】
【請求項１】
ヨーレートセンサのセンサ信号（１２．１）の妥当性を検査する方法であって、
前記ヨーレートセンサ（１２）は、少なくとも１つのヨーレートを検出して前記センサ信号（１２．１）として出力し、
第２センサ部材（２２）は、前記ヨーレートに相関付けられる第２物理量を検出して第２センサ信号（２２．１）として出力し、
前記ヨーレートセンサ（１２）は欠陥がないセンサである、方法において、
少なくとも前記ヨーレートセンサ（１２）は、上限および／または下限を備えた少なくとも１つの第１信頼性領域（ＺＢ）を有しており、該第１信頼性領域（ＺＢ）は、前記第２センサ部材（２２）によって検出される第２物理量に関連付けられており、
前記第２センサ部材（２２）によって検出される第２物理量の実際値が前記ヨーレートセンサ（１２）の対応する前記第１信頼性領域（ＺＢ）内にある場合、前記ヨーレートセンサ（１２）によって検出される前記ヨーレートの実際値が妥当であると識別する、
ことを特徴とする方法。
【請求項２】
請求項１に記載の方法において、
前記ヨーレートセンサ（１２）と前記第２センサ部材（２２）とは、同じ測定個所および／または相異なる測定個所において同じ測定原理および／または相異なる測定原理で前記ヨーレートと前記第２物理量とを検出する、
ことを特徴とする方法。
【請求項３】
請求項１に記載の方法において、
前記第２センサ部材（２２）は、加速度および／または圧力および／または固体伝送音および／またはヨーレートを検出する、
ことを特徴とする方法。
【請求項４】
ヨーレートセンサのトリガ信号（３８．１）を形成する方法において、
前記ヨーレートセンサ（１２）により、第１センサ信号（１２．１）を形成し、
第２センサ部材（２２）により、第２センサ信号（２２．１）を形成し、
トリガ判定条件をチェックするため、実際の前記第１センサ信号（１２．１）と第１閾値とを比較し、実際の前記第２センサ信号（２２．１）と第２閾値とを比較し、
前記ヨーレートセンサ（１２）は欠陥がないセンサ部材である、方法において、
前記ヨーレートセンサ（１２）の実際の前記第１センサ信号（１２．１）が、対応する前記第１閾値を上回る場合であって、かつ、請求項１から３までのいずれか１項に記載したセンサ信号（１２．１）の妥当性検査方法により、少なくとも前記ヨーレートセンサ（１２）の前記第１センサ信号（１２．１）が妥当であると識別される場合に、前記トリガ判定条件が満たされて前記トリガ信号（３８．１）が出力される、
ことを特徴とする方法。
【請求項５】
請求項４に記載の方法において、
前記ヨーレートセンサ（１２）と前記第２センサ部材（２２）とは、クラッシュ関連の物理量を検出する、
ことを特徴とする方法。
【請求項６】
請求項４または５に記載の方法において、
前記トリガ信号（３８．１）は、安全性関連のシステムを起動する、
ことを特徴とする方法。
【請求項７】
ヨーレートセンサのトリガ信号（３８．１）を形成する装置であって、
前記ヨーレートセンサ（１２）は、ヨーレートを検出して第１センサ信号（１２．１）として出力し、
第２センサ部材（２２）は、前記ヨーレートに相関付けられる第２物理量を検出して第２センサ信号（２２．１）として出力し、
トリガ信号（３８．１）に対するトリガ判定条件をチェックするため、評価および制御ユニット（３０）により、実際の前記第１センサ信号（１２．１）と、第１閾値とを比較し、
前記ヨーレートセンサ（１２）は欠陥がないセンサ部材である、装置において、
少なくとも前記ヨーレートセンサ（１２）は、上限および／または下限を備えた少なくとも１つの第１信頼性領域（ＺＢ）を有しており、該第１信頼性領域（ＺＢ）は、前記第２センサ部材（２２）によって検出される第２物理量に関連付けられており、
前記第２センサ部材（２２）によって実際に検出した前記第２物理量の値が、前記ヨーレートセンサ（１２）の対応する第１信頼性領域（ＺＢ）内にある場合、前記評価および制御ユニット（３０）により、前記ヨーレートセンサ（１２）によって検出した前記ヨーレートの実際値が妥当であると識別され、
前記ヨーレートセンサ（１２）の実際の第１センサ信号（１２．１）が、対応する第１閾値を上回っており、かつ、少なくとも前記ヨーレートセンサ（１２）の前記第１センサ信号（１２．１）を妥当であると識別する場合に前記トリガ判定条件が満たされ、
前記トリガ判定条件が満たされる場合、前記評価および制御ユニット（３０）により、トリガ信号（３８．１）を出力する、
ことを特徴とする装置。
【請求項８】
請求項７に記載の装置において、
前記ヨーレートセンサ（１２）と前記第２センサ部材（２２）とは、同じ測定個所および／または相異なる測定個所において同じ測定原理および／または相異なる測定原理でクラッシュ関連の物理量を検出する、
ことを特徴とする装置。
【請求項９】
請求項７に記載の装置において、
前記第２センサ部材（２２）は、加速度および／または圧力および／または固体伝送音および／またはヨーレートを検出する、
ことを特徴とする装置。
【請求項１０】
請求項７から９までのいずれか１項に記載の装置において、
前記閾値および／または前記少なくとも１つの信頼性領域（ＺＢ）は、記憶ユニット（３７）に記憶されている、
ことを特徴とする装置。
【発明の詳細な説明】
【技術分野】
【０００１】
従来の技術
本発明は、請求項１の上位概念に記載したセンサ信号の妥当性を検査する方法ならびに請求項４の上位概念に記載したトリガ信号を出力方法および請求項７の上位概念に記載したトリガ信号を出力する装置を出発点とする。
【０００２】
センサ信号の妥当性を検査する従来技術から公知の方法および装置によって保証されるのは、センサ部材が故障した場合に、例えばセーフティシステムのようなシステムの望ましくない挙動が発生しないようにすることである。測定原理および／またはセンサ部材および／またはセンサ信号のタイプに応じて、上記の方法および装置の種々異なる機能の仕方が公知である。一般的にはセンサ信号の妥当性検査を行う装置には２つのセンサ部材が含まれており、ここでは第１センサ部材の第１センサ信号の妥当性が検査され、第２センサ部材の第２センサ信号が、第１センサ信号の妥当性検査のために使用される。第１センサ部材の第１センサ信号が妥当であると識別される場合、この第１センサ部材は欠陥を有していないとするのである。
【０００３】
刊行物DE 101 23 625 A1には、物理量の測定値検出をチェックする方法および装置が記載されており、ここには１つの物理量に対して冗長な２つの測定値が存在する。ここでは第１センサ部材は第１測定値を検出し、第２センサ部材は第２測定値を検出する。妥当性検査の際には、これらの２つの測定値の商を形成し、この商と許容範囲とが比較される。上記の商が許容範囲から許容できない程度まで偏差している場合、センサ部材がエラー状態にあるとする。
【０００４】
DE 10 2004 042 467 A1には歩行者保護装置用のトリガ信号を形成する方法および装置が記載されており、この歩行者保護装置は、対象物との衝突が識別された後、トリガ検査および上記のセンサ信号の妥当性検査を実行する。ここでは、トリガ検査の際に歩行者との衝突が識別されかつセンサ信号の妥当性検査がokの場合、複数のセンサ信号によって歩行者を識別するために特徴抽出を行い、上記の特徴抽出によって対象物との衝突時点が求められて歩行者保護システム用のトリガ信号が形成される。上記のセンサ信号の妥当性検査を行うこの装置は、衝突関連の複数のセンサ信号と、中央の加速度センサユニットの複数のセンサ信号とを比較する。
【０００５】
本発明の開示
これに対し、独立請求項１，４および７の特徴的構成をそれぞれ有するセンサ信号の妥当性を検査する本発明の方法、トリガ信号を形成する本発明の方法、およびトリガ信号を出力する本発明の装置は、少なくとも１つの第１センサ部材が、上限および／または下限を備えた少なくとも１つの第１信頼性領域を有するという利点を有する。ここでは、上記の少なくとも１つの第１信頼領域は、第２センサ部材によって検出される第２物理量に関連付けられる。第２センサ部材によって実際に検出した第２物理量の値が、対応する第１センサ部材の第１信頼性領域内にある場合に、第１センサ部材によって検出した第１物理量の実際値が妥当であると識別される。この少なくとも１つの信頼性領域は、例えば、上限だけによって定められるか、ないしは下限だけによって定められるか、ないしは上限によって定められると共に下限によっても定められ得る。
【０００６】
本発明の複数の実施形態では、上記の少なくとも１つの第１の信頼性領域により、有利にも機能可能ないしは欠陥のない第１センサ部材においても妥当性検査が可能になり、この妥当性検査では、妥当でない第１センサ信号が識別される。第２物理量に関連する信頼性領域を有する第１センサ部材は、第２物理量の値が、対応する信頼性領域内にある場合に、信頼性がありかつ正確な測定値を測定する。第２物理量の値が、少なくとも１つの第１信頼性領域外にある場合、例えば、第１センサ部材の測定精度が失われている可能性がある。この場合、有利には、信頼性のないセンサ信号および／または不正確に求められたセンサ信号は、システム判定には使用されず、ひいてはこれに関連したトリガ信号の出力には使用されない。これにより、有利にも、例えばエアバッグなどの殊に非可逆式セーフティシステムのようなセーフティシステムのエラートリガの回数を低減することができる。
【０００７】
殊に自動車における安全関連センサ信号のようなセンサ信号の妥当性を検査する本発明の方法に相応して、第１センサ部材の少なくとも１つの第１物理量を検出して第１センサ信号として出力し、第１物理量に相関付けられた第２物理量を第２センサ部材によって検出して第２センサ信号として出力する。本発明において少なくとも第１センサ部材は、上限および／下限を備えた少なくとも１つの第１信頼性領域を有しており、この信頼性領域は、第２センサ部材によって検出される第２物理量に関連付けられている。第２センサ部材によって実際に検出された第２物理量の値が、第１センサ部材の対応する第１信頼領域内にある場合に、第１センサ部材によって検出した第１物理量の実際値が妥当であると識別する。
【０００８】
殊に自動車における安全関連システムをトリガするための、トリガ信号を出力する本発明の方法の複数の実施形態では、第１センサ部材によって形成される第１センサ信号と、第２センサ部材によって形成される第２信号とを評価する。トリガ判定条件をチェックするため、実際の第１センサ信号と、第１閾値とを比較する。本発明では、第１センサ部材の実際の第１センサ信号が、対応する第１閾値を上回る場合であって、かつ、センサ信号の妥当性検査方法により、少なくとも第１センサ信号が妥当であると識別される場合に上記のトリガ判定条件が満たされてトリガ信号が出力される。センサ信号の妥当性を検査するため、少なくとも第１センサ部材は、上限および／または下限を備えた第１信頼性領域を有しており、この第１信頼性領域は、第２センサ部材によって検出される第２物理量に関連付けられる。第２センサ部材によって実際に検出される第２物理量が、第１センサ部材の対応する第１信頼性領域内にある場合、第１センサ部材によって検出される第１物理量の実際値を妥当であると識別する。
【０００９】
殊に自動車における安全関連システムをトリガするための、トリガ信号を出力する本発明の装置には、第１物理量を検出して第１センサ信号として出力する第１センサ部材と、第１物理量に相関付けられる第２物理量を検出して第２センサ信号として出力する第２センサ部材とが含まれている。トリガ信号に対するトリガ判定条件をチェックするため、評価および制御ユニットにより、実際の第１センサ信号と、第１閾値とを比較する。本発明において、少なくとも第１センサ部材は、上限および／または下限を備えた少なくとも１つの第１信頼性領域を有しており、この第１信頼性領域は、第２センサ部材によって検出される第２物理量に関連付けられている。第２センサ部材によって実際に検出される第２物量の実際値が、第１センサ部材の対応する第１信頼性領域内にある場合に、上記の評価および制御ユニットにより、第１センサ部材によって検出される第１物理量の実際値が妥当であると識別される。第１センサ部材の実際の第１センサ信号が、対応する第１閾値を上回り、かつ、少なくとも第１センサの第１センサ信号が妥当であると識別される場合に上記のトリガ判定条件が満たされる。上記の評価および制御装置は、トリガ判定条件が満たされる場合にトリガ信号を出力する。
【００１０】
オプションでは上記のトリガ判定条件をチェックするため、実際の第１センサ信号に他に付加的に実際の第２センサ信号と、第２閾値とを比較することができる。このケースでは、第１センサ部材の実際の第１センサ信号が、対応する第１閾値を上回りかつ第２センサ部材の実際の第２センサ信号が、対応する第２閾値を上回る場合であって、かつ、センサ信号の妥当性検査方法により、少なくとも第１センサ部材の第１センサ信号が妥当であると識別される場合にのみ、上記のトリガ判定条件が満たされる。
【００１１】
本発明においてセンサ部材とは、物理量ないしは物理量の変化を直接または間接的に検出し、有利には電気的なセンサ信号に変換する構成ユニットのことである。これは、例えば、音波および／または固体伝送音波の受信により、および／または、位置変更および／または変位変更および／または別の公知の検出方法によって行うことができる。センサ信号は静的および／または動的に求めることができる。さらにセンサ信号は、連続して求めるかまたは１回だけ求めることができる。
【００１２】
求めたこれらのセンサ信号は、評価および制御ユニットによって評価することができ、この評価および制御ユニットは、上記のセンサ部材に組み込まれており、および／またはセンサ部材の外部に、例えば、センサユニット内および／または制御装置内に配置されている。ここでは、上記の求めたセンサ信号を処理ないし後処理するため、例えば、オフセットを減算して別の数学的な演算を行うことができる。これにより、例えば、検出した第１物理量から、この第１物理量に依存する別の量、例えば速度、回転数、力、エネルギ、所定のイベントに対する確率などを計算することができる。
【００１３】
本発明において評価および制御ユニットとは、検出したセンサ信号を処理および／または評価する、例えば制御装置のような電気装置のことである。この評価および制御ユニットは、ハードウェアおよび／またはソフトウェアで構成することの可能な少なくとも１つのインタフェースユニットを有することができる。ハードウェアによって構成する際には、このインタフェースユニットは、例えばいわゆるシステムＡＳＩＣの一部とすることができ、このシステムＡＳＩＣには評価および制御ユニットの極めて異なる複数の機能が含まれている。しかしながら上記のインタフェースユニットが固有の集積回路であるかまたはこれを少なくとも一部をディスクリート構成部材から構成することも可能である。ソフトウェアによって構成する際、上記のインタフェースユニットは、例えばマイクロコントローラ上に別のソフトウェアモジュールと共に設けられているソフトウェアモジュールとすることが可能である。プログラムコードを有するコンピュータプログラム製品も有利であり、このプログラムコードは、半導体記憶装置、固定ディスク記憶装置または光学式記憶装置など機械読み出し可能な担体に記憶されており、かつ、プログラムが上記の評価および制御ユニットによって実行される場合に上記の評価を実行するために使用される。
【００１４】
妥当性検査ないしは妥当性チェックとは１つの手法のことであり、この手法の枠内では、求める物理量の値ないしはイベントが許容範囲にある、および／または、納得できる、および／または、了解可能である、および／または妥当であるか否かにという点についてこれらの求める物理量の値ないしはイベントが検査される。例えばクラッシュ状況の発生はイベントであり、この発生の妥当性が検査される。
【００１５】
従属請求項に記載された手段および発展形態により、独立請求項１に示したセンサ信号の妥当性検査方法、独立請求項４に示したトリガ信号の出力方法、および独立請求項７に記載したトリガ信号を出力する装置を有利に改善することができる。
【００１６】
殊に有利であるのは、上記のセンサ部材が、同じおよび／または相異なる測定個所において同じ測定原理および／または相異なる測定原理で上記の物理量を検出できることである。これにより、１つのイベントを多種多様に推定することができる。さらにセンサ部材の測定精度を制限し得る大きく異なる周囲条件を調査して上記の妥当性検査に使用することができる。これにより、外部要因による測定誤差および／または測定結果の不正確さを有利にもほぼ取り除くことができる。さらに確実さを高めるため付加的に公知の妥当性検査手法を使用することができ、この際にこの妥当性検査手法にマイナスの影響が及ぼされることはない。これによって有利にも、妥当性がありかつ信頼のできるセンサデータだけが、後続処理のため、および／または、対応するセーフティ機能をトリガするために出力されることが保証されるのである。
【００１７】
本発明によるセンサ信号の妥当性検査方法の有利な実施形態において、上記の２つのセンサ素子により、例えば加速度および／または圧力および／または固体伝送音および／またはヨーレートを検出することができる。これにより、例えば、複数のヨーレートセンサは、実際に有効な加速度について１つの信頼性領域を有することができる。１つの加速度センサによって比較可能な測定個所においてこのような加速度を測定する場合、検出した実際の加速度値が上記のヨーレートセンサの信頼性領域内にあれば、有利には実験的におよび／または設定によって上記のヨーレートセンサの信頼性のある機能を保証することできる。これによって有利にも、クラッシュ識別のために複数のヨーレートセンサを使用することができ、ここでは不正確なおよび／または妥当でない上記のヨーレートセンサのセンサ信号値は、加速度値が大きすぎることによって識別することができる。また別の複数のセンサ部材によって検出される物理量が同様に第１センサ部材によって検出される物理量に相関付けられる場合、別の複数のセンサ部材の値を付加的に検査して、クラッシュ識別の際に第１センサ部材の第１センサ信号の妥当性検査に使用することができる。
【００１８】
トリガ信号を出力するため、上記の複数のセンサ部材がクラッシュ関連の物理量を検出することは殊に有利である。これにより、有利にもこれらセンサユニットは、例えば１つのクラッシュイベントのような同一のイベントに応答することができる。クラッシュの際には衝突により、例えば、圧力および／またはヨーレートおよび／または音響および／または加速度のような検出した物理量が変化する。すなわち、求めたこれらの測定量は、共通のこのイベントによって相関付けされてこのイベントを示すのである。
【００１９】
本発明による方法の有利な実施形態において、上記のトリガ信号は、安全性関連システムを起動する。有利には安全性関連のシステムは、信頼性のあるクラッシュ識別によって高い信頼性で起動されて、不正確なセンサ信号に起因する早すぎるトリガおよび／または誤トリガが防止される。
【００２０】
本発明による装置の有利な実施形態において上記のセンサ部材は、同じ測定個所および／または相異なる測定個所において同じ測定原理および／または相異なる測定原理でクラッシュ関連の物理量を検出する。これにより、この装置によって多種多様な仕方で１つのイベントおよび殊にクラッシュを推定することができる。さらにセンサの測定精度を制限する極めて異なる複数の周囲条件を調査して、第１センサ部材の第１センサ信号の妥当性検査に使用することができる。これにより、外部状況による測定結果の不正確さおよび／または測定誤差を有利にもほぼ取り除くことができる。殊に、別の物理量によって発生し得る変化によって外因との関係が不明瞭になっている測定結果を取り除くことができる。さらに、有利にも確実さを高めるために付加的な公知の妥当性検査手法を使用することができる。これによって有利にも、妥当性がありかつ信頼できるセンサデータだけが後続処理および／またはトリガ信号の出力に使用されることが保証されるのである。
【００２１】
上記の装置の別の有利な実施形態において、２つのセンサ部材は、例えば、加速度および／または圧力および／または固体伝送音および／またはヨーレートを検出する。有利には実験的および／または設計により、測定値の妥当性が検査されるセンサ部材の信頼できる機能を保証することができる。加速度および／または圧力および／または固定伝送音および／またはヨーレートは、クラッシュ状況において変化することがありまた物理量のうちの１つを検出するセンサ部材の測定結果に影響を与え得る物理量であるため、妥当性検査を行うべきセンサ部材においてこれらの物理量に対して対応する信頼性領域を導入することにより、有利にも別の複数のセンサ部材を応用することにより、クラッシュセンシングにおいて妥当性検査を行うべきセンサ部材の複数のセンサ信号についての一層正確な信頼性情報を得ることができ、正確でない測定値および／または妥当でない測定値を識別することができる。
【００２２】
本発明による装置の別の有利な実施形態では、上記の閾値および／または少なくとも１つの信頼性領域を記憶ユニットに記憶する。この記憶した値には有利にも高速にアクセスすることができる。さらにこのような記憶ユニットは一般的に上記の評価および制御ユニットに設けられているため、付加的なコストは発生しない。
【００２３】
本発明との関連においてクラッシュとは、障害物および／または別の交通関与者などの別の対象物との衝突だけではなく、車両の横転（ロールオーバ）のことでもある。
【００２４】
本発明の複数の実施例を図面に示し、以下にて詳しく説明する。図面において同じ参照符号は、同じないしは類似の機能を実行するコンポーネントないしは部材を示す。
【図面の簡単な説明】
【００２５】
【図１】トリガ信号を出力する本発明の装置の実施例の概略ブロック図である。
【図２】本発明によるセンサ信号の妥当性検査方法およびトリガ信号出力方法の実施例の概略ブロック図である。
【００２６】
本発明の実施形態
第２センサ部材の第２センサ信号によって第１センサ部材の第１センサ信号の妥当性を検査するため、種々異なる方法が公知である。例えば、センサ部材の第１および第２センサ信号を、比較可能な測定原理および同じ測定個所によって形成することができる。ここで第１および第２センサ信号は、サイクリックに読み出されて、評価および制御ユニットによって互い比較される。この妥当性検査時には、これらのセンサ信号を直接、および／または商により、および／または、差分によって互いに比較することができる。例えば、第１および第２センサ信号の上記の差分および／または商が所定の境界を上回る場合、第１センサ信号は無効であると見なされ、および／または、第１センサ部材が故障していると見なされる。
【００２７】
センサ部材の上記の第１および第２センサ信号は、比較可能な測定原理および相異なる測定個所で形成することも可能である。さらにセンサ部材の第１および第２センサ信号は、比較可能でない測定原理により、および、同じおよび／または相異なる測定個所で形成することができる。この妥当性検査時には、第１センサ部材の複数の第１センサ信号は、第２センサ部材の第２センサ信号と直接比較することはできない。直接の比較は、例えば制御装置内と、制御装置外とのように測定個所が異なることないしは組み込み個所が異なることにより、および／または、例えば走行方向と、走行方向に対して横方向とのように検出方向が異なることにより、および／または、例えば相異なる物理量が検出されるなどの測定原理が比較可能でないことにより、無意味である。このような妥当性検査方法では、例えば、第１センサ信号が、あらかじめ設定した第１閾値を上回り、また第２センサ信号があらかじめ設定した第２閾値を上回ったか否かを検査する。上記の双方のセンサ信号においてこれが発生した場合、妥当検査を行うべき第１センサは動作可能であり、第１センサ信号は有効であると見なされる。
【００２８】
図１からわかるように、トリガ信号３８．１を形成する本発明の装置１の図示した実施例には、第１物理量を検出して第１センサ信号１２．１として出力する第１センサ部材１２を備えた第１センサユニット１０と、第１物理量に相関する第２物理量を検出して第２センサ信号２２．１として出力する第２センサ部材を備えた第２センサユニット２０とが含まれている。トリガ信号３８．１に対するトリガ判定条件をチェックするため、評価および制御ユニット３０は少なくとも実際の第１センサ信号１２．１と第１閾値とを比較する。
【００２９】
この実施例に示した評価および制御ユニット３０は、３つのインタフェースユニット３２および１つの計算ユニット３４を有する。計算ユニット３４は、記憶ユニット３７と、妥当性検査ユニット３６と、判定ロジック部３８とを有する。評価および制御ユニット３０は、少なくとも１つのインタフェースユニット３２を介して第１センサ部材１２の第１センサ信号１２．１と、第２センサ部材２２の第２センサ信号２２．１を受信し、受信したセンサ信号１２．１，２２．１を計算ユニット３４において評価する。この評価により、例えば、存在するオフセットを減算する、および／または、平均値を求める、および／または、係数との乗算によって信号強度を増大させることができる。択一的にはこの評価を第１センサユニット１０において、および／または第２センサユニット２０において行うことも可能である。このために対応する評価ユニットをセンサユニット１０，２０に配置することができる。
【００３０】
本発明によれば少なくとも第１センサ部材１２は、上限および／または下限を備えた少なくとも１つの第１信頼性領域ＺＢを有する。この少なくとも１つの第１信頼性領域ＺＢは、第２センサ部材２２によって検出される第２物理量に関連付けられる。評価および制御ユニット３０の妥当性検査ユニット３６は、第２センサ部材２２によって実際に検出した第２物理量が、第１センサ部材１２の対応する第１信頼性領域ＺＢ内にある場合、第１センサ部材１２によって検出した第１物理量の実際値を妥当であると識別する。図示した実施例においてセンサ部材１２，２２は、同じおよび／または異なる測定個所において同じ測定原理および／または異なる測定原理でクラッシュ関連の物理量を検出する。殊にセンサ部材１２，２２は、同じ物理量を異なって検出する、および／または相異なる物理量を同じまたは異なる値域において検出することができる。例えばセンサ部材１２，２２は同じ物理量を検出し、ただしセンサ部材１２，２２のうちの一方のセンサ部材の分解能は他方のセンサ部材よりも高く、および／または、センサ部材１２，２２のうちの一方のセンサ部材は他方のセンサ部材よりも値域が広く、および／または、センサ部材１２，２２は、同じ物理量を相異なる測定個所において検出するのである。これらの２つのセンサ部材１２，２２は、例えば、加速度および／または圧力および／または固定伝送音および／またはヨーレートを検出することができる。
【００３１】
図示した実施例において、ヨーレートセンサ１２の測定値は、加速度センサ２２によって妥当性があると識別することができる。なぜならば上記の実際の加速度は、ヨーレートセンサ１２の測定結果の精度に影響を及ぼすからである。別の変形実施形態では、ヨーレートセンサ１２の値を、択一的または付加的に固定伝送センサによって妥当性があると識別することが可能である。より高速に評価を行うため、上記の閾値および／または上記の少なくとも１つの信頼性領域ＺＢは記憶ユニット３７に格納される。
【００３２】
上記の評価および制御ユニット３０の判定ロジック部３８は、上記のトリガ判定条件が満たされたか否かを検査する。少なくとも第１センサ部材１２の実際の第１センサ信号１２．１が、対応する第１閾値を上回り、かつ、少なくとも第１センサ１２の第１センサ信号１２．１が妥当である識別される場合に上記のトリガ判定条件が満たされる。このトリガ判定条件が満たされる場合、評価および制御ユニット３０は、インタフェースユニット３２を介してトリガ信号３８．１を出力する。上記のトリガ判定条件を検査するため、妥当性検査ユニット３６は妥当性検査信号３６．１を判定ロジック３８に出力する。ここでこの妥当性検査信号３６．１は、第１物理量の値が妥当であるか否かを表す。
【００３３】
オプションでは評価および制御ユニット３０はトリガ判定条件をチェックするため、実際の第１センサ信号１２．１に他にさらに実際の第２センサ信号２２．１と第２閾値とを比較する。このようなケースにおいて、第１センサ部材１２のこの実際の第１センサ信号１２．１が、対応する第１閾値を上回り、かつ、第２センサ部材２２の実際の第２センサ信号２２．１が対応する第２閾値を上回る場合であって、かつ、少なくとも第１センサ部材１２の第１センサ信号１２．１が妥当であると識別される場合にのみ上記のトリガ判定条件が満たされる。
【００３４】
図２からわかるように、ステップＳ１０．１において第１センサ部材１２を介して少なくとも１つの第１物理量が検出され、第１センサ信号１２．１として出力される。第２ステップＳ１０．２では第２センサ部材２２を介して、第１物理量に相関付けられた第２物理量が検出され、第２センサ信号２２．１として出力される。この際にこれらの測定した物理量により、例えばクラッシュから得られる結果と同じ結果が得られる。このことが意味するのは、相関付けられたクラッシュ関連の物理量が検出されることである。これらの双方の物理量の検出は、並行してないしは同時にまたは時間的にずらして行うことできる。さらに同じおよび／または相異なる値域の、同じおよび／または相異なる測定個所における、同じ測定原理および／または相異なる測定原理による、同じ物理量および／または相異なる物理量を検出することができる。
【００３５】
ステップＳ２０．１では上記の検出した第１センサ信号１２．１が、またステップＳ２０．２では第２センサ信号２２．１が、評価および制御ユニット３０によって評価され、および／または適当な量に変換される。これには、例えばオフセットを減算する、および／または、相関する物理量を数学的に計算することが含まれ得る。
【００３６】
本発明では少なくとも第１センサ部材１２は、上限および／または下限を備えた少なくとも１つの信頼性領域ＺＢを有し、この信頼性領域は、第２センサ部材２２によって検出される第２物理量に関連付けられる。第２物理量は、第１センサ部材１２によって検出される物理領域の測定結果に影響を及ぼす。ステップＳ３０では、第１センサ部材１２によって出力されるセンサ信号１２．１が妥当であるか否かが検査される。第２センサ部材２２によって検出した第２物理量の値が第１センサ部材１２の信頼性領域ＺＢ内にある場合に第１センサ部材１２の第１センサ信号１２．１は正しい、および／または信頼性が高い、ないしは妥当である。したがってステップＳ３０では、第２センサ部材２２によって検出した第２物理量が第１センサ部材の第１信頼領域ＺＢ内にある場合、第１センサ部材１２によって検出した第１物理量の実際値が妥当であると識別される。これが満たされる場合、ステップＳ３０において、対応するイエスの妥当性信号３６．１が、評価および制御ユニット３０の妥当性検査ユニット３６から、評価および制御ユニット３０の判定ロジック部３８に出力されるため、この判定ロジック部３８は、別の複数の条件が満たされる場合に、対応するトリガ信号３８．１を形成して出力することができる。上記の条件が満たされない場合、ステップＳ３０において、対応するノーの妥当性信号３６．１が評価および制御ユニット３０の妥当性検査ユニット３６から、評価および制御ユニット３０の判定ロジック部３８に出力されるため、判定ロジック部３８は、別の複数の条件とは無関係にトリガ信号３８．１を形成せず、またこれを出力しない。
【００３７】
図２からさらにわかるように、トリガ信号３８．１を出力する本発明の方法には、上で説明したステップＳ１０．１からＳ３０と、別の妥当性検査とが含まれている。したがってステップＳ４０では、評価および制御ユニット３０の妥当性検査ユニット３６が、評価および制御ユニット３０の判定ロジック部３８にイエスまたはノーのどちらの妥当性信号３６．１を出力したか否かが検査される。ステップＳ４０においてノーの妥当性検査信号３６．１が識別される場合、トリガ信号３８．１を出力するこの方法は終了する。ステップＳ４０においてイエスの妥当性信号３６．１が識別される場合、ステップＳ５０において、検出した第１物理量ないしは第１センサ信号１２．１の実際値と、あらかじめ設定した第１閾値とが比較される。つぎのステップＳ７０では、検出した第１物理量ないしは第１センサ信号１２．１の実際値が第１閾値を上回っているか否かが検査される。検出した物理量ないしは第１センサ信号１２．１の実際値が、対応する閾値を上回っている場合、ステップＳ８０においてトリガ信号３８．１が形成されて出力される。トリガ信号３８．１は、例えば、エアバッグおよび／またはロールオーババーおよび／またはシートベルトテンショナのような安全関連の人員保護システムを起動する。
【００３８】
検出した物理量ないしは第１センサ信号１２．１の実際値が、対応する閾値を上回っていない場合、上記の方法は終了し、トリガ信号３８．１は出力されない。
【００３９】
したがってトリガ信号３８．１を出力する本発明の方法により、センサ部材１２，２２によってセンシングされた結果が妥当であるか否かが検査されるのである。この結果は、図示の実施例においてクラッシュないしは車両横転であり、このクラッシュないしは車両横転は、求めた上記の第１センサ信号１２．１が、対応する第１閾値を上回っており、妥当であると識別された場合に妥当であると識別される。チェックされる上記のトリガ判定条件が満たされるのは、第１センサ信号１２．１の実際値が、対応する閾値を上回っている場合であって、かつ、上で説明したステップＳ１０．１からＳ３０におけるセンサ信号の妥当性検査方法により、少なくとも第１センサ１２の第１センサ信号１２．１が妥当であると識別される場合である。
【００４０】
オプションでは、破線で示したステップＳ６０において付加的に、検出した第２物理量ないしは第２センサ信号２２．１の実際値と、あらかじめ設定した第２閾値とを比較する。２つのステップＳ５０およびＳ６０は、並行してないしは同時にまたは時間的にずらして実行することができる。この場合にステップＳ７０では、検出した第１物理量ないしは第１センサ信号１２．１の実際値が、第１閾値を上回っているか否か、また検出した第２物理量ないしは第２センサ信号２２．１の実際値が、第２閾値を上回っているか否かが検査される。検出した物理量ないしは２つのセンサ信号１２．１，２２．１の両方の実際値がそれぞれ対応する閾値を上回っている場合、ステップＳ８０においてトリガ信号３８．１が形成されて出力される。
【００４１】
この実施例において上記の検出した物理量ないしはセンサ信号１２．１，２２．１の２つの実際値のうちの少なくとも１つの実際値が、対応する閾値を上回っていない場合、上記の方法は終了し、トリガ信号３８．１は出力されない。
【００４２】
したがってトリガ信号３８．１を出力する本発明の方法により、この実施例において、センサ部材１２，２２によってセンシングした結果が妥当であるか否かが検査されるのである。上記のイベントは、図示の実施例においてクラッシュないしは車両横転であり、求めたセンサ信号１２．１，２２．１がそれぞれ、それに対応付けられた閾値を上回っており、かつ、少なくとも第１センサ信号１２．１が妥当である場合に、このクラッシュないしは車両横転は妥当であると識別される。第１センサ信号１２．１の実際値および第２センサ信号２２．２の実際値がそれぞれ、これらに対応付けられた閾値を上回る場合であって、かつ、上で説明したステップＳ１０．１ないしＳ３０におけるセンサ信号の妥当性検査方法により、少なくとも第１センサ１２の第１センサ信号１２．１が妥当であると識別される場合に、上記のチェックされるトリガ判定条件が満たされる。
【００４３】
ここで説明しない択一的な実施例においてまず、少なくとも第１センサ信号が妥当であるか否かを検査する前に、検出した第１物理量ないしは第１センサ信号の実際値が、第１閾値を上回り、かつ、検出した第２物理量ないしは第２センサ信号の実際値が第２閾値を上回るか否かを検査することができる。択一的にはこれらの複数の検査を並行してなしは同時に行うことができる。
【００４４】
同様にここで説明しない第３のセンサ部材により、第１センサ部材１２の第１センサ信号１２．１および／または第２センサ部材２２の第２センサ信号２２．１の妥当性検査を行うことも可能である。この際には第１センサ部材１２および第２センサ部材２２は１つずつの信頼性領域ＺＢを有しており、この信頼性領域は、第３センサ部材によって検出されかつ第３センサ信号に変換される物理量に関連付けられる。
【図１】
0006045596.tif 000002
【図２】
0006045596.tif 000003